(57)【要約】【課題】半導体デザインの完全性を確実にするための方法を提供する。【解決手段】本方法は、半導体回路のフォトマスク・デザインを分析することを含むことができる。フォトマスクは、半導体回路の動作に必要な電気デザインと、電気デザインを何も有さないホワイト・スペースとを含むことができる。本方法は、半導体回路のフォトマスク・デザインのホワイト・スペースに光学デザインを挿入することを含むことができる。光学デザインは、半導体回路デザインの妥当性を確認するための既知の光学パターンを有することができる。本発明の一実施形態において、光学デザインは、電気デザインから物理的に隔離することができる。本発明の別の実施形態において、光学デザインは、１つまたは複数のフォトマスク層を含むことができ、電気デザインを覆う。本発明の別の実施形態において、光学デザインは、カバー形状を含むことができる。【選択図】図１
2021504734.tif 000002
【特許請求の範囲】
【請求項１】
半導体デザインの完全性を確実にするための方法であって、
半導体回路の１つまたは複数のフォトマスク・デザインを分析することであって、前記フォトマスク・デザインが、前記半導体回路の動作に必要な電気デザインと、ホワイト・スペースとを有し、前記ホワイト・スペースが、電気デザインを何も有さない、前記分析することと、
前記半導体回路の前記１つまたは複数のフォトマスク・デザインの前記ホワイト・スペースに光学デザインを挿入することであって、前記光学デザインが、半導体回路デザインの妥当性を確認するための１つまたは複数の既知の光学パターンを有し、前記光学デザインが、前記電気デザインから物理的に隔離される、前記挿入することと
を含む、方法。
【請求項２】
前記フォトマスク・デザインに従って前記半導体回路を組み立てることと、
前記光学デザインの前記１つまたは複数の既知の光学パターンについて前記半導体回路を分析することと、
前記光学デザインの前記１つまたは複数の既知の光学パターンが一致したとき前記半導体回路の妥当性を確認することと
をさらに含む、請求項１に記載の方法。
【請求項３】
前記光学デザインの前記１つまたは複数の既知の光学パターンが一致しなかったとき前記半導体回路を廃棄することをさらに含む、請求項２に記載の方法。
【請求項４】
前記１つまたは複数の既知の光学パターンが、モワレ・パターンを含むことができる、請求項１に記載の方法。
【請求項５】
前記光学デザインが、１つまたは複数のフォトマスク層を含む、請求項１に記載の方法。
【請求項６】
半導体デザインの完全性を確実にするための方法であって、
半導体回路の１つまたは複数のフォトマスク・デザインを分析することであって、前記フォトマスク・デザインが、前記半導体回路の動作に必要な電気デザインと、ホワイト・スペースとを有し、前記ホワイト・スペースが、電気デザインを何も有さない、前記分析することと、
前記半導体回路の前記１つまたは複数のフォトマスク・デザインの前記ホワイト・スペースに光学デザインを挿入することであって、前記光学デザインが、半導体回路デザインの妥当性を確認するための１つまたは複数の既知の光学パターンを有し、前記光学デザインが、１つまたは複数のフォトマスク層を含み、前記電気デザインを覆うことができる、前記挿入することと
を含む、方法。
【請求項７】
前記フォトマスク・デザインに従って前記半導体回路を組み立てることと、
前記光学デザインの前記１つまたは複数の既知の光学パターンについて前記半導体回路を分析することと、
前記光学デザインの前記１つまたは複数の既知の光学パターンが一致したとき前記半導体回路の妥当性を確認することと
をさらに含む、請求項６に記載の方法。
【請求項８】
前記光学デザインの前記１つまたは複数の既知の光学パターンが一致しなかったとき前記半導体回路を廃棄することをさらに含む、請求項７に記載の方法。
【請求項９】
前記光学デザインが、前記電気デザインから物理的に隔離される、請求項６に記載の方法。
【請求項１０】
前記１つまたは複数の既知の光学パターンが、モワレ・パターンを含むことができる、請求項６に記載の方法。
【請求項１１】
半導体デザインの完全性を確実にするための方法であって、
半導体回路の１つまたは複数のフォトマスク・デザインを分析することであって、前記フォトマスク・デザインが、前記半導体回路の動作に必要な電気デザインと、ホワイト・スペースとを有し、前記ホワイト・スペースが、電気デザインを何も有さない、前記分析することと、
前記半導体回路の前記１つまたは複数のフォトマスク・デザインの前記ホワイト・スペースに光学デザインを挿入することであって、前記光学デザインが、半導体回路デザインの妥当性を確認するための１つまたは複数の既知の光学パターンを有し、前記光学デザインが、カバー形状を含む、前記挿入することと
を含む、方法。
【請求項１２】
前記フォトマスク・デザインに従って前記半導体回路を組み立てることと、
前記光学デザインの前記１つまたは複数の既知の光学パターンについて前記半導体回路を分析することと、
前記光学デザインの前記１つまたは複数の既知の光学パターンが一致したとき前記半導体回路の妥当性を確認することと
をさらに含む、請求項１１に記載の方法。
【請求項１３】
前記光学デザインが、前記電気デザインから物理的に隔離される、請求項１１に記載の方法。
【請求項１４】
前記１つまたは複数の既知の光学パターンが、モワレ・パターンを含むことができる、請求項１１に記載の方法。
【請求項１５】
前記カバー形状が、回路デザインなしかつ光学デザインなしの領域を含む、請求項１１に記載の方法。
【請求項１６】
半導体デザインの完全性を確実にするための方法であって、
複数の半導体回路の１つまたは複数のフォトマスク・デザインを分析することであって、前記フォトマスク・デザインが、前記複数の半導体回路の各々の動作に必要な電気デザインと、前記複数の半導体回路のデザインの間のホワイト・スペースとを有し、前記ホワイト・スペースが、電気デザインを何も有さない、前記分析することと、
前記半導体回路の前記１つまたは複数のフォトマスク・デザインの前記ホワイト・スペースに光学デザインを挿入することであって、前記光学デザインが、半導体回路デザインの妥当性を確認するための１つまたは複数の既知の光学パターンを有し、前記光学デザインが、前記電気デザインから物理的に隔離される、前記挿入することと
を含む、方法。
【請求項１７】
前記フォトマスク・デザインに従って前記半導体回路を組み立てることと、
前記光学デザインの前記１つまたは複数の既知の光学パターンについて前記半導体回路を分析することと、
前記光学デザインの前記１つまたは複数の既知の光学パターンが一致したとき前記半導体回路の妥当性を確認することと
をさらに含む、請求項１６に記載の方法。
【請求項１８】
前記光学デザインの前記１つまたは複数の既知の光学パターンが一致しなかったとき前記半導体回路を廃棄することをさらに含む、請求項１７に記載の方法。
【請求項１９】
前記１つまたは複数の既知の光学パターンが、モワレ・パターンを含むことができる、請求項１６に記載の方法。
【請求項２０】
前記光学デザインが、１つまたは複数のフォトマスク層を含む、請求項１６に記載の方法。
【請求項２１】
半導体構造体であって、
半導体回路の動作に必要な電気回路、および電気回路を何も有さないホワイト・スペースと、
前記電気回路の前記ホワイト・スペース内に形成された光学パターンであって、半導体回路デザインの妥当性を確認することに使用される、前記光学パターンと
を備える、半導体構造体。
【請求項２２】
前記光学パターンが、１つまたは複数の堆積層を含む、請求項２１に記載の構造体。
【請求項２３】
前記光学パターンが、カバー形状を含む、請求項２１に記載の構造体。
【請求項２４】
前記光学パターンが、前記電気回路から物理的に隔離される、請求項２１に記載の構造体。
【請求項２５】
１つまたは複数の既知の前記光学パターンが、モワレ・パターンを含むことができる、請求項２１に記載の構造体。
【発明の詳細な説明】
【技術分野】
【０００１】
本発明は、一般に半導体マスク製造に関し、詳しくは半導体マスクの光学的妥当性確認（opticalvalidation）に関する。
【背景技術】
【０００２】
半導体フォトマスクは、転移および相互接続層の回路パターンを画定するようにデザインされる。フォトマスク・デザインは、転移および相互接続層の回路パターンの間に、およびその周りにホワイト・スペースも含む。フォトマスク上の利用可能なホワイト・スペースが大きければ大きいほど、追加の回路素子が第三者によってデザインに加えられる可能性も大きくなる。
【発明の概要】
【発明が解決しようとする課題】
【０００３】
半導体デザインの完全性を確実にするための方法および半導体構造体を提供する。
【課題を解決するための手段】
【０００４】
本発明の一実施形態は、半導体デザインの完全性を確実にするための方法を含むことができる。本方法は、半導体回路のフォトマスク・デザインを分析することを含むことができる。フォトマスクは、半導体回路の動作に必要な電気デザインと、電気デザインを何も有さないホワイト・スペースとを含むことができる。本方法は、半導体回路のフォトマスク・デザインのホワイト・スペースに光学デザインを挿入することを含むことができる。光学デザインは、半導体回路デザインの妥当性を確認するための既知の光学パターンを有することができる。本発明の一実施形態において、光学デザインは、電気デザインから物理的に隔離することができる。本発明の別の実施形態において、光学デザインは、１つまたは複数のフォトマスク層を含み、電気デザインを覆うことができる。本発明の別の実施形態において、光学デザインはカバー形状（covershape）を含むことができる。
【０００５】
本発明の別の実施形態は、複数の半導体回路の１つまたは複数のフォトマスク・デザインを分析することを含むことができる。フォトマスク・デザインは、複数の半導体回路の各々の動作に必要な電気デザインと、複数の半導体回路のデザインの間のホワイト・スペースとを有することができる。ホワイト・スペースは、電気デザインを何も有さなくてもよい。本方法は、半導体回路の１つまたは複数のフォトマスク・デザインのホワイト・スペースに光学デザインを挿入することを含むことができる。光学デザインは、半導体回路デザインの妥当性を確認するための既知の光学パターンを有することができる。
【０００６】
本発明の別の実施形態は、半導体構造体を含むことができる。半導体構造体は、半導体回路の動作に必要な電気回路を含むことができる。半導体構造体は、ホワイト・スペースを含むことができ、ホワイト・スペースは、電気回路を何も有さなくてもよい。半導体構造体は、半導体回路デザインの妥当性を確認するための、電気回路のホワイト・スペース内に形成された光学パターンを含むことができる。
【０００７】
以下の詳細な説明は、例示されるものであり、それのみに本発明を限定することを意図したものではなく、添付の図面と併せることで最もよく理解される。
【図面の簡単な説明】
【０００８】
【図１】本発明の一実施形態による、半導体製造中に正しいマスクが使用されたことの妥当性を光学的に確認するための方法の流れ図である。
【図２】本発明の一実施形態による、半導体のフォトマスクの平面図である。
【図３】本発明の一実施形態による、光学式フィンガープリント・デザインの例を示す図である。
【図４】本発明の一実施形態による、光学式フィンガープリント・デザインの例を示す図である。
【図５】本発明の一実施形態による、光学式フィンガープリントを有する第１の堆積層の半導体デザインの平面図である。
【図６】本発明の一実施形態による、光学式フィンガープリントを有する第２の堆積層の半導体デザインの平面図である。
【図７】本発明の一実施形態による、光学式フィンガープリントを有する第１および第２の堆積層の半導体デザインの平面図である。
【発明を実施するための形態】
【０００９】
図の要素は、必ずしも縮尺どおりではなく、本発明の具体的なパラメータを示すように意図されない。例示を明確にし、容易にするために、要素の縮尺は誇張されている可能性がある。正確な寸法については詳細な説明を参照されたい。図面は本発明の典型的な実施形態のみを示すように意図され、したがって、本発明の範囲を限定するものとみなしてはならない。図面において、同じ番号は同じ要素を表す。
【００１０】
添付の図面を参照する以下の説明は、特許請求の範囲およびそれらの同等物によって定義される本発明の例示的な実施形態の包括的な理解を助けるために提供される。以下の説明は、その理解を助けるために様々な具体的な詳細を含むが、これらは単に例示的であるとみなされるものとする。したがって、本発明の範囲および思想から逸脱することなく、本明細書に説明する実施形態の様々な変更形態および修正形態を加えることができることが当業者には理解されよう。さらに、周知の機能および構造の説明は、明確におよび簡潔にするために省略する場合がある。
【００１１】
以下の説明および特許請求の範囲に使用される用語および単語は、文献学的意味に限定されず、単に本発明の明快で一貫した理解を可能にするために使用される。したがって、本発明の例示的な実施形態の以下の説明が例示目的のためのみに提供され、添付の特許請求の範囲およびそれらの同等物によって定義される本発明を限定する目的のためではないことが当業者には明らかであるはずである。
【００１２】
単数形「１つの（a）」、「１つの（an）」、および「その（the）」は、文脈上そうでないとする明確な指示がない限り、複数の指示対象を含むことを理解されたい。したがって、例えば、「構成部品表面（a component surface）」への参照は、文脈上そうでないとする明確な指示がない限り、そのような表面のうちの１つまたは複数への参照を含む。
【００１３】
以下の詳細な説明において、本発明の実施形態の提示を曖昧にしないために、当技術分野で周知であるいくつかの処理ステップまたは動作は、提示および例示目的のために一緒に組み合わされている可能性があり、場合によっては、詳細に説明されていない可能性がある。他の場合には、当技術分野で周知であるいくつかの処理ステップまたは動作は、まったく説明されていない可能性がある。以下の説明は、むしろ、本発明の様々な実施形態の際立った特徴または要素に焦点を合わせていることを理解されたい。
【００１４】
本発明の実施形態は、一般に半導体製造におけるフォトマスクの使用の妥当性を光学的に確認する方法に関する。半導体フォトマスクは、転移および相互接続層の回路パターンを画定する。フォトマスクは、不必要な追加の回路素子が第三者によって加えられる可能性を考慮して、転移および相互接続層の回路パターンの間に、およびその周りにホワイト・スペースも含む。本発明は、フォトマスク上の利用可能なホワイト・スペースを分析するアルゴリズムを使用し、ホワイト・スペースを消費する、フォトマスク上に挿入される光学パターンをデザインする。光学パターンは、顕微鏡下でまたは光源を使用してあるいはその両方で観察することができる。したがって、本発明は、フォトマスク・デザインにおけるホワイト・スペースを占有する、光学的に観察可能なパターンを提供することによって半導体のデザインへの不必要な回路素子の追加を防止する。
【００１５】
次に、本発明の実施形態を添付の図を参照して詳細に説明する。
【００１６】
図１は、本発明の一実施形態による、半導体製造中に正しいマスクが使用されたことの妥当性を光学的に確認するための方法の流れ図である。図１を参照すると、方法１００が、フォトマスクをデザイン、すなわち、設計するステップ１１０と、フィンガープリント・アルゴリズムを実行するステップ１１２と、フォトマスクのホワイト・スペースに光学式フィンガープリントを挿入するステップ１１４と、光近接効果補正を使用してフォトマスクを強化するステップ１１６と、マスクを組み立てるステップ１１８と、ウェーハを組み立てるステップ１２０と、ウェーハの光学パターンを試験するステップ１２２と、ウェーハの光学パターンを光学式フィンガープリント・デザインの既知の光学パターンと比較するステップ１２４と、光学パターンが一致したときウェーハの妥当性を確認するステップ１２６と、光学パターンが一致しなかったときウェーハを廃棄するステップ１２８とを含む。図１に具現化された方法１００のステップを図２〜７に示す。
【００１７】
図２と併せて説明するステップＳ１１０を参照すると、フォトマスク２１０がデザインされ、フォトマスク２１０は、半導体チップ２１４内の相互接続層の堆積層２１２のデザインを画定する。フォトマスク２１０のデザインは、半導体の各チップ２１４の転移および相互接続層の回路デザインの間におよびその周りにホワイト・スペース２１６、すなわち、デザインなしの領域を含むことができる。フォトマスク２１０は、カーフ（kerf）２１８、すなわち、単一ウェーハの半導体チップ２１４が切り離される、１つまたは複数の半導体チップ２１４のデザインの間にホワイト・スペースも含むことができる。各半導体チップ２１４は、複数の異なるフォトマスク２１０を使用してデザインされ、各フォトマスク２１０は、堆積層２１２における回路構造を画定し、回路構造は重なり合って積層されることを理解することができる。
【００１８】
図３〜４と併せて説明するステップＳ１１２を参照すると、フィンガープリント・アルゴリズムが、フォトマスク２１０上の半導体チップ２１４のデザインの利用可能なホワイト・スペース２１６内に収まる光学式フィンガープリント２２０をデザインするために実行される。例えば、フィンガープリント・アルゴリズムは、印刷される対象物のデザインのホワイト・スペース２１６、デザインされた印刷される対象物のサイズおよびフォトマスク２１０上の半導体チップ２１４のデザインされた印刷される対象物の重大な側面を分析し、ホワイト・スペース２１６内に収まるように光学デザインを計算することができる。フィンガープリント・アルゴリズムは、光学式フィンガープリント２２０を作製するために半導体チップ２１４を製造するのに使用されるすべてのフォトマスク２１０を分析することができる。フィンガープリント・アルゴリズムは、光学式フィンガープリント２２０の層間の光学式フィンガープリント２２０のデザインの生成された充填構造のオーバーレイおよび配置を考慮に入れて、それらが、挿入された充填に対する妥当性に関して、製造中および製造後に試験しまたは視覚的に評価しあるいはその両方を行うことができることを確実にすることができる。例えば、図３〜４に示すように光学式フィンガープリント２２０は、重なり合って積層された複数のフォトマスク２１０の光学式フィンガープリント・デザイン、すなわち、後続の堆積層２１２のデザインを示す。本発明の一実施形態において、フィンガープリント・アルゴリズムは、光学式フィンガープリント２２０内の層間のあるオーバーレイ／接点を意図的に省略することができる。例えば、フィンガープリント・アルゴリズムは、光学式フィンガープリント２２０の回路デザイン内の意図的に省略された形状の規則性および配置を決定するためにカバー形状方式を使用することができるが、それに限定されない。カバー形状解像度（definition）は、充填解像度およびフィンガープリント・アルゴリズムに制限することができ、後続の製造ステップと共有しない可能性があり、したがって、保護されたままであり、それにより、独自のカバー形状デザインが光学的に認識されることを可能にすることができる。
【００１９】
光学式フィンガープリント２２０は、半導体チップ２１４の堆積層２１２にエッチングされるトレンチのデザインであってもよい。本発明の別の実施形態において、光学式フィンガープリント２２０は、半導体チップ２１４のデザイン間の、フォトマスク２１０上のカーフ２１８内に収まるようにデザインすることもできる。
【００２０】
図５〜７と併せて説明するステップＳ１１４を参照すると、光学式フィンガープリント２２０が、フォトマスク２１０のデザインのホワイト・スペース２１６に挿入される。図５は、第１の光学式フィンガープリント２２０ａを有する半導体チップ２１４の第１の堆積層に対応する第１のフォトマスク２１０ａを示す。図６は、第２の光学式フィンガープリント２２０ｂを有する半導体チップ２１４の第２の堆積層に対応する第２のフォトマスク２１０ｂを示す。図７は、重なり領域２２２を有する、光学式フィンガープリント２２０ａを有する第１の堆積層と光学式フィンガープリント２２０ｂを有する第２の堆積層とのデザインを有する半導体チップ２１４を示す。半導体チップ２１４は、各堆積層２１２が、独自のデザインおよび光学式フィンガープリント２２０を有する、多くの堆積層２１２からなることができることを理解することができる。さらに、光学式フィンガープリント２２０を有する堆積層２１２を有する半導体チップ２１４は、複数の重なり領域２２２を有することができることを理解することができる。重なり領域２２２は、モワレ・パターンなど、ただし、それに限定されない、光源または顕微鏡を使用して観察することができる独自のパターンを有することができる。
【００２１】
ステップＳ１１６を参照すると、半導体回路デザインおよび光学式フィンガープリント２２０のデザインを含むフォトマスク・デザインを、任意で、光近接効果補正を使用して強化することができる。光近接効果補正は、回折または処理効果による画像誤差を補償するのに使用されるフォトリソグラフィ強化技法である。
【００２２】
ステップＳ１１８を参照すると、フォトマスクが、光学式フィンガープリント２２０を含むようにフォトマスク・デザインに従って組み立てられ、ステップＳ１２０において、ウェーハが、フォトマスクを使用して製作される。半導体チップ２１４の堆積層２１２にエッチングされるトレンチは、堆積層２１２に応じて金属またはシリコンあるいはその両方を含むことができる。例えば、半導体製作は、基板工程（Front-End-Of-The-Line：ＦＥＯＬ）、中間工程（Middle-Of-The-Line：ＭＯＬ）、および配線工程（Back-End-Of-The-Line：ＢＥＯＬ）を含む、いくつかの段階からなる。ＦＥＯＬ工程において作製される堆積層２１２では、トレンチは、ポリ・シリコンなどの、ただし、それに限定されないシリコン、またはアモルファス・シリコン、あるいは銅、アルミニウム、またはタングステンなどの、ただし、それに限定されない金属のいずれかで充填することができる。ＭＯＬまたはＢＥＯＬ工程において作製される堆積層２１２では、トレンチは、銅、アルミニウム、またはタングステンなどの、ただし、それに限定されない金属で充填することができる。本発明の一実施形態において、ステップＳ１１０〜Ｓ１２０は、半導体チップ２１４のすべての堆積層２１２が完了するまで繰り返すことができる。
【００２３】
ステップＳ１２２を参照すると、正しいフォトマスク・デザインが使用されたことを確認するためにウェーハが光学的に分析される。例えば、光学式フィンガープリント２２０のデザインの異なる堆積層２１２のトレンチは、独自の重なりパターンを有することができる。例えば、重なり領域２２２Ｘは、モワレ・パターンを形成することができる。ウェーハは、半導体チップ２１４を照射する紫外線（ＵＶ）光源などの、ただし、それに限定されない光源を使用して分析することができる。本発明の一実施形態において、ウェーハは、顕微鏡を使用して分析することができる。ウェーハは、各堆積層２１２を堆積させた後、光学的に分析することができる。本発明の一実施形態において、ウェーハは、半導体チップ２１４の２つ以上の堆積層２１２を堆積させた後、分析することができる。
【００２４】
ステップＳ１２４を参照すると、ウェーハの光学パターンが、光学式フィンガープリント２２０の既知の光学パターンと比較される。ウェーハの光学パターンが光学式フィンガープリント２２０の既知の光学パターンと一致したとき、ウェーハは、ステップＳ１２６において妥当性が確認される。ウェーハの光学パターンが光学式フィンガープリント２２０の既知の光学パターンに一致しなかったとき、ウェーハは、ステップＳ１２８において廃棄される。本発明の一実施形態において、ウェーハは、既知のカバー形状デザインと比較することができる。
【００２５】
本発明の様々な実施形態の説明を例示の目的で提示してきたが、網羅的であるように、または開示した実施形態に限定されるように意図されない。説明した実施形態の範囲および思想から逸脱することなく、多くの変更形態および変形形態が当業者には明らかであろう。本明細書に使用された用語は、実施形態の原理、実際の適用または市場で見いだされる技術を上回る技術的改善を最もよく説明するように、または当業者が本明細書に開示した実施形態を理解することが可能になるように選択された。したがって、本発明が、説明し、例示した正確な形態および詳細に限定されないが、添付の特許請求の範囲内に含まれることが意図される。
【図１】
2021504734.tif 000003
【図２】
2021504734.tif 000004
【図３】
2021504734.tif 000005
【図４】
2021504734.tif 000006
【図５】
2021504734.tif 000007
【図６】
2021504734.tif 000008
【図７】
2021504734.tif 000009
【国際調査報告】
2021504734.tif 000010
2021504734.tif 000011